(57)【要約】      （修正有）【課題】フィルタリングのための濾布の表面積を増やすために、別途の設置場所を備える必要のない集塵機用フィルタケージおよびこれを含むフィルタバッグアセンブリを提供する。【解決手段】フィルタバッグアセンブリは、フィルタケージとフィルタバッグを含む。フィルタケージは、内側に貫通孔が形成される下部プレートと、下部プレートの上部に配置され、貫通孔に対応する上部プレートと、下部プレートの縁部に沿って上方に延長形成される外側支持フレームと、貫通孔の周辺に沿って上方に延長形成され、上部プレートに結合される内側支持フレームを含む。フィルタバッグは、下部プレートによって支持される底面部と、底面部の縁部に沿って上方に延び、外側支持フレームによって支持される外側側面部と、上部プレートに支持される上面部と、上面部と底面部との間で、内側支持フレームによって支持される内側側面部を含む。【選択図】図２
0003162672.tif 000002
【実用新案登録請求の範囲】
【請求項１】
集塵機用フィルタバッグアセンブリであって、
内側に貫通孔が形成される下部プレートと、前記下部プレートの上部に配置され、前記貫通孔に対応する上部プレートと、前記下部プレートの縁部に沿って配置され、前記下部プレートから上方に延長形成される外側支持フレームと、前記貫通孔の周辺に沿って配置され、前記下部プレートから上方に延長形成され、前記上部プレートに結合される内側支持フレームを含むフィルタケージと；
前記下部プレートに対応し、前記下部プレートによって支持される底面部と、前記底面部の縁部に沿って上方に延び、前記外側支持フレームによって支持される外側側面部と、前記上部プレートに支持される上面部と、前記上面部と前記底面部との間で延長形成され、前記内側支持フレームによって支持される内側側面部を含むフィルタバッグと；
を含む集塵機用フィルタバッグアセンブリ。
【請求項２】
前記上部プレートおよび前記上面部を貫通して相互結合する結合部材を含むことを特徴とする、請求項１に記載のフィルタバッグアセンブリ。
【請求項３】
前記上部プレートおよび外側支持フレームを相互結合する連結フレームを含むことを特徴とする、請求項１に記載のフィルタバッグアセンブリ。
【請求項４】
前記外側支持フレームおよび前記内側支持フレームは互いに並んでいることを特徴とする、請求項１に記載のフィルタバッグアセンブリ。
【請求項５】
集塵および脱塵のためのフィルタバッグの形態を維持するように前記フィルタバッグを支持するフィルタケージであって、
内側に貫通孔が形成される下部プレートと；
前記下部プレートの上部に配置され、前記貫通孔に対応する上部プレートと；
前記下部プレートの縁部に沿って配置され、前記下部プレートから上方に延長形成される外側支持フレームと；
前記貫通孔の周辺に沿って配置され、前記下部プレートから上方に延長形成され、前記上部プレートに結合される内側支持フレームと；
を含むことを特徴とするフィルタケージ。
【請求項６】
前記上部プレートおよび前記上部プレートに支持される前記フィルタバッグを相互結合する結合部材を含むことを特徴とする、請求項５に記載のフィルタケージ。
【考案の詳細な説明】
【技術分野】
【０００１】
本考案は集塵機に適用される集塵機用フィルタケージおよびこれを含むフィルタバッグアセンブリに関し、より詳しくは、集塵効率を上げることができる集塵機用フィルタケージおよびこれを含むフィルタバッグアセンブリに関する。
【０００２】
本出願は、２００９年８月２６日に韓国特許庁に提出された実用新案登録出願第２０−２００９−１１１０６号の出願日の利益を主張し、その内容のすべては本明細書に含まれる。   
【背景技術】
【０００３】
一般的にセメント、繊維、化学などの製造工場や金属などを加工する工場においては、製造または加工時に排出される排気ガスや微細粉塵および産業廃棄物などによる環境汚染を防止するために必須に集塵機が使われている。
【０００４】
この時、フィルタバッグによる濾過方式の集塵能力と大きさおよび重量などはその内部に内蔵されるフィルタバッグによって決定され、フィルタバッグは大体に外周面が滑らかな円筒形状からなって複数が集塵機に内蔵されるが、所望のフィルタリング効率に応じて内蔵されるフィルタバッグの個数が変わる。
【０００５】
但し、フィルタバッグの個数が多くなるほど、集塵機の大きさが大型化するだけでなく、それに応じた施設面積が必要となるため、同じ大きさのフィルタバッグでもそのもののフィルタリング効率を改善するために外周の表面積を増やしたシワ型フィルタバッグが既に提案されている。
【０００６】
このようなシワ型フィルタバッグは、濾布にシワがない滑らかな表面を有するフィルタバッグに比べて相対的にフィルタリングできる表面積が広く形成されるのでフィルタ効率は増加するが、シワ型フィルタバッグは、用いられる濾布の材質により、シワを形成したりまたは形成されたシワが持続的に維持されるように製作するのが非常に煩わしいのでポリエステルのような特定材質だけを使うようになり、これにより、フィルタバッグを使用できる集塵対象または使い所が限定される短所がある。例えば、ポリエステルはアルカリ性に非常に弱いため、アルカリ性を帯びる粉塵が排出される所ではその使用が難しい。また、シワの間に入られた粉塵は脱塵時に容易に離れないので集塵効率を減少させる。
【０００７】
シワ型フィルタバッグの上述した問題点により、フィルタバッグにシワを形成することなくフィルタリングできる、表面積を増やすことができる集塵機用フィルタバッグが韓国登録特許第１０−０７９０３３４号に開示されている。
【０００８】
集塵機用フィルタバッグは外部濾布３３と内部濾布３４とを含み、内部濾布３４はその直径が上方に行くほど縮小するコーン形状に形成される。
そこで、内部濾布３４によってフィルタリングできる表面積が増加するが、内部濾布３４は外部濾布３３の内側に配置されて別途の設置空間を必要としない。
【０００９】
但し、上述した集塵機用フィルタバッグにおいて、外部濾布３３だけがフィルタケージ３１によって支持され、内部濾布３４はフィルタケージ３１のような支持構造物によってその形態が支持されないため、集塵または濾布の外部に付着したホコリなどを除去するための脱塵時にコーン形状の内部濾布３４の変形が発生して内部濾布３４の局部的な破損が発生し得る。
【００１０】
また、脱塵時、内部濾布３４のコーン形状によって内部が傾斜した形態をなしているため、フィルタバッグ内部の空気圧が全体的に均一にならないので脱塵が不均一になる短所もある。
【００１１】
また、コーン形状の内部濾布３４の下部に粉塵が固着して濾過効率が低下する問題点があり、特に、有機物が含まれた粉塵が内部濾布３４の下部に固着する場合に微生物による腐敗などの問題点が発生し得る。
【考案の概要】
【考案が解決しようとする課題】
【００１２】
前記従来の問題点を解決するために、本考案は、フィルタリングのための濾布の表面積を増やすために、別途の設置場所を備える必要のない集塵機用フィルタケージおよびこれを含むフィルタバッグアセンブリを提供することを目的とする。
【００１３】
また、本考案は、集塵または脱塵時に、フィルタバッグの一部が支持されないために局部的に破損することを防止することができるように、フィルタバッグを全体的に支持できる集塵機用フィルタケージおよびこれを含むフィルタバッグアセンブリを提供することを目的とする。
【００１４】
さらに、本考案は、フィルタバッグ内部の空気圧が全体的に均一にならないために脱塵が不均一になることを防止できる集塵機用フィルタケージおよびこれを含むフィルタバッグアセンブリを提供することを目的とする。
【課題を解決するための手段】
【００１５】
前記目的を達成するために、本考案は、内側に貫通孔が形成される下部プレートと、下部プレートの上部に配置され、貫通孔に対応する上部プレートと、下部プレートの縁部に沿って配置され、下部プレートから上方に延長形成される外側支持フレームと、貫通孔の周辺に沿って配置され、下部プレートから上方に延長形成され、上部プレートに結合される内側支持フレームを含むフィルタケージと；下部プレートに対応し、下部プレートによって支持される底面部と、底面部の縁部に沿って上方に延び、外側支持フレームによって支持される外側側面部と、上部プレートに支持される上面部と、上面部と底面部との間で延長形成され、内側支持フレームによって支持される内側側面部を含むフィルタバッグと；を含む集塵機用フィルタバッグアセンブリを提供する。
【考案の効果】
【００１６】
本考案は、フィルタバッグの内側側面部が外側側面部の内側に配置され、内側側面部のための別途の設置空間が必要ではないため、フィルタバッグの表面を増加させて集塵効率を増加させるものの、設置面積は増加せず、これにより、集塵機の空間活用度が高いという長所を有する。
【００１７】
また、フィルタバッグの内側側面部および外側側面部が全てフィルタケージによって支持されるため、集塵または脱塵時に、フィルタバッグの一部が支持されないために局部的に破損することを防止できる長所を有する。
【００１８】
また、内側側面部および外側側面部が並んで配置され、フィルタバッグ内部の空気圧が全体的に均一に作用して脱塵が均一になされる長所も有する。
【図面の簡単な説明】
【００１９】
【図１】従来の集塵機用フィルタバッグを説明するための断面図である。
【図２】本考案の好ましい実施形態による集塵機用フィルタバッグアセンブリを示す分解斜視図である。
【図３】本考案の好ましい実施形態によるフィルタバッグアセンブリの集塵および脱塵状態を示す断面図である。
【図４】本考案の好ましい実施形態によるフィルタバッグアセンブリの集塵および脱塵状態を示す断面図である。
【考案を実施するための形態】
【００２０】
本考案に係る集塵機用フィルタバッグアセンブリは、内側に貫通孔が形成される下部プレートと、下部プレートの上部に配置され、貫通孔に対応する上部プレートと、下部プレートの縁部に沿って配置され、下部プレートから上方に延長形成される外側支持フレームと、貫通孔の周辺に沿って配置され、下部プレートから上方に延長形成され、上部プレートに結合される内側支持フレームを含むフィルタケージと；下部プレートに対応し、下部プレートによって支持される底面部と、底面部の縁部に沿って上方に延び、外側支持フレームによって支持される外側側面部と、上部プレートに支持される上面部と、上面部と底面部との間で延長形成され、内側支持フレームによって支持される内側側面部を含むフィルタバッグと；を含むことを特徴とする。
【００２１】
また、本考案に係る集塵機用フィルタバッグアセンブリは、上部プレートおよび上面部を貫通して相互結合する結合部材を含むことを特徴とする。
また、本考案に係る集塵機用フィルタバッグアセンブリは、上部プレートおよび外側支持フレームを相互結合する連結フレームを含むことを特徴とする。
【００２２】
一方、本考案に係る集塵および脱塵のためのフィルタバッグの形態を維持するようにフィルタバッグを支持するフィルタケージは、内側に貫通孔が形成される下部プレートと；下部プレートの上部に配置され、貫通孔に対応する上部プレートと；下部プレートの縁部に沿って配置され、下部プレートから上方に延長形成される外側支持フレームと；貫通孔の周辺に沿って配置され、下部プレートから上方に延長形成され、上部プレートに結合される内側支持フレームと；を含むことを特徴とする。
【００２３】
また、本考案に係るフィルタケージは、上部プレートおよび上部プレートに支持されるフィルタバッグを相互結合する結合部材を含むことを特徴とする。
【００２４】
以下、添付図面を参考して本考案の好ましい実施形態による集塵機用フィルタバッグアセンブリ１０について詳細に説明する。但し、下記実施形態は本考案を例示するためのものであって、本考案の範囲が下記で詳述する実施形態によって限定されるものではない。
【００２５】
図２は本考案の好ましい実施形態による集塵機用フィルタバッグアセンブリ１０を示す分解斜視図である。
本実施形態による集塵機用フィルタバッグアセンブリ１０は、図２に示すように、フィルタバッグ２００を支持するためのプレートおよびフレームを含むフィルタケージ１００と、集塵および脱塵のためのフィルタバッグ２００とを含む。
【００２６】
フィルタケージ１００は、下部プレート１１０と、上部プレート１２０と、外側支持フレーム１３０と、内側支持フレーム１４０と、連結フレーム１５０とを含む。
【００２７】
下部プレート１１０は所定の面積を有し、その形態は四角、台形、菱形などの多角形の形態で提供することができ、本実施形態においては円形で提供されており、その内側には貫通孔１１２が形成されている。また、貫通孔１１２も下部プレート１１０と同じように、多角形または円形で提供することができ、貫通孔１１２の形態は、本実施形態においては下部プレート１１０と同様に円形で提供するが、場合によっては他の形態で提供することができる。
【００２８】
上部プレート１２０は下部プレート１１０の貫通孔１１２の形態に対応する形態で提供され、本実施形態においては、円形の貫通孔１１２に対応して円形で提供されており、上部プレート１２０の直径は貫通孔１１２の内径程度で提供される。
【００２９】
外側支持フレーム１３０は下部プレートの周縁、すなわち、縁部に沿って複数が配置され、下部プレート１１０から上方に長く延長形成されている。
この時、本実施形態の外側支持フレーム１３０は大体に上部プレート１２０および下部プレート間の間隔と類似する長さを有するが、場合によっては、より長くあるいは短く形成することもできる。
【００３０】
内側支持フレーム１４０は外側支持フレーム１３０の内側において貫通孔１１２の周辺に沿って複数が配置され、下部プレート１１０から上方に延長形成され、上部プレート１２０の縁部に結合される。
【００３１】
この時、貫通孔１１２の内径と上部プレート１２０の直径が大体に同一であるため、外側支持フレーム１３０および内側支持フレーム１４０は互いに並んで配置されることができる。これは、後述するフィルタバッグ２００の外側側面部２３０と内側側面部２４０が互いに並んで配置されて支持されるようにするためであり、これにより、脱塵時にフィルタバッグ２００の全体にかけて均一な空気圧がかかり、これによって脱塵効率を増加させることができる。
【００３２】
また、連結フレーム１５０は、上部プレート１２０および外側支持フレーム１３０を相互結合するように、両端を各々上部プレート１２０の外周と外側支持フレーム１３０の上端部に溶接することができる。
【００３３】
また、集塵および脱塵のためのフィルタバッグ２００は、底面部２１０と、外側側面部２３０と、上面部２２０と、内側側面部２４０とを含む。
【００３４】
底面部２１０は下部プレート１１０に対応する形態の円形で提供され、下部プレート１１０の底面に密着して支持される。
【００３５】
外側側面部２３０は、底面部２１０の縁部、すなわち外周に沿って上方に延び、外側支持フレーム１３０の外側において外側支持フレーム１３０によって支持される。
【００３６】
上面部２２０は上部プレート１２０に支持され、その形態は貫通孔１１２と同様な円形で提供される。
【００３７】
内側側面部２４０は、上面部２２０と底面部２１０との間で延長形成され、内側支持フレーム１４０の内側において内側支持フレーム１４０によって支持される。
【００３８】
一方、本実施形態のフィルタバッグ２００は、底面部２１０と、外側側面部２３０と、上面部２２０と、内側側面部２４０が互いに連結されており、具体的には、濾布あるいは布などの材質からなるフィルタバッグ２００の底面部２１０と、外側側面部２３０と、上面部２２０と、内側側面部２４０はステッチ（ｓｔｉｔｃｈ）あるいは別途の接着剤などを利用して接合することができる。
【００３９】
フィルタバッグ２００はフィルタケージ１００の下側から嵌めて結合することができ、フィルタケージ１００に結合されたフィルタバッグ２００は底面部２１０の直径を有する外側側面部２３０が一つの円筒を形成し、上面部２２０の直径を有する内側側面部２４０が他の一つの円筒を形成する。
すなわち、内側側面部２４０は外側側面部２３０の内側に位置し、内側側面部２４０のための別途の設置空間が必要ではなく、フィルタリング面積を増加させることができ、これにより、集塵機の空間活用度を高めることができる。
【００４０】
図３および図４は本考案の好ましい実施形態によるフィルタバッグアセンブリ１０の集塵および脱塵状態を示す断面図である。
図３を参照して集塵状態を説明すれば、集塵機の内部に流入された粉塵は本考案のフィルタバッグ２００によって除塵されるが、この時、粉塵は外側側面部２３０の表面と内側側面部２４０の表面を通じて集塵されるため、同じ大きさの従来のフィルタバッグに比べて集塵される表面積が大幅に広くなる。一方、外側側面部２３０および内側側面部２４０は、各々、外側支持フレーム１３０および内側支持フレーム１４０によって支持され、その形態が変形しない。
【００４１】
図４を参照して脱塵状態を説明すれば、集塵過程において、フィルタバッグ２００の外側側面部２３０の表面と内側側面部２４０の表面に固着した粉塵は、内側側面部２４０と上面部２２０との間に形成された空間に供給される空気によって周期的にまたは必要によって除去される。
【００４２】
前述したように、フィルタバッグ２００の内側側面部２４０および外側側面部２３０が全てフィルタケージ１００によって支持されるため、集塵または脱塵時に、高圧の空気がフィルタバッグ２００を通過してもフィルタバッグ２００の形態が変形せず、これにより、高圧空気の流れによって変形したり破損したりすることを防止することができる。
【００４３】
また、内側側面部２４０および外側側面部２３０が並んで配置され、フィルタバッグ２００内部の空気圧が全体的に均一に作用し、これにより、空気が脱塵時に高圧空気を噴射する噴射ノズルと近いフィルタバッグ２００の上部と、噴射ノズルと距離が比較的に遠いフィルタバッグ２００の下部において全て均一に脱塵される。
【００４４】
一方、フィルタバッグ２００の上面部２２０がフィルタケージ１００の上部プレート１２０から下方に垂れることを防止できる結合部材１６０が提供され、本実施形態においては、上部プレート１２０に孔１２２を形成し、上面部２２０には前記孔１２２に対応する別途の孔２２２を形成した後、前記孔（１２２，２２２）を通過するボルトおよびボルトにねじ結合されて上面部２２０と上部プレート１２０を密着させるナットを利用してフィルタバッグ２００とフィルタケージ１００を相互結合することができる。
【００４５】
上記のように好ましい実施形態を通じて本考案を詳細に説明したが、本考案はこれに記載された実施形態に限定されるものではなく、本技術分野で通常の知識を有した者が本考案の技術的思想および範囲から逸脱することなく様々に修正および変形できることは明らかである。したがって、このような修正例または変形例は本考案の請求範囲に属するとみなすべきである。
【符号の説明】
【００４６】
１０  ・・・集塵機用フィルタバッグアセンブリ
１００  ・・・フィルタケージ
１１０  ・・・下部プレート
１１２  ・・・貫通孔
１２０  ・・・上部プレート
１３０  ・・・外側支持フレーム
１４０  ・・・内側支持フレーム
１６０  ・・・結合部材
２００  ・・・フィルタバッグ
２１０  ・・・底面部
２２０  ・・・上面部
２３０  ・・・外側側面部
２４０  ・・・内側側面部
【図１】
0003162672.tif 000003
【図２】
0003162672.tif 000004
【図３】
0003162672.tif 000005
【図４】
0003162672.tif 000006